(57)【要約】【課題】  土地等の制約に対応して必要があれば容易に出幅違いにすることができる屋根を提供する。【解決手段】  本発明の屋根１において、妻垂木受け材７は妻垂木８の長手方向に所定間隔をおいて複数配置してあり、左妻垂木９と右妻垂木１１と左右のパネル１３、１５は先端側を切断自在であり、左前枠１７ａは左妻垂木９及び左パネル１３の先端に固定してあり、右前枠１７ｂは右妻垂木１１及び右パネル１５の先端に固定してあり、左妻垂木９と右妻垂木１１とはパネル１３、１５の載置前に妻垂木受け材７に取り付けてあり、左妻垂木９は左パネル１３を載置するパネル載置部２５ａと、右妻垂木１１の左側面１１ａに対する当接自在部２７ａとを有し、右妻垂木１１は右パネル１５を載置するパネル載置部２５ｂと、左妻垂木９の右側面９ａに対する当接自在部２７ｂとを有している。【選択図】      図１
2005155085.tif 000002
【特許請求の範囲】
【請求項１】
妻垂木受け材と、妻垂木と、パネルと、前枠とを備え、妻垂木受け材は妻垂木の長手方向に所定間隔をおいて複数配置してあり、妻垂木は左妻垂木と右妻垂木から構成してあり、左妻垂木は左側に位置するパネルを載置するパネル載置部と、右妻垂木の左側面に対する当接自在部とを有し且つパネル載置前に妻垂木受け材に取付けてあり、右妻垂木は右側に位置するパネルを載置するパネル載置部と、左妻垂木の右側面に対する当接自在部とを有し且つパネル載置前に妻垂木受け材に取付けてあり、左妻垂木と右妻垂木と左側に位置するパネルと右側に位置するパネルとは、妻垂木受け材から突出する先端側を異なる長さに切断自在にしてあり、前枠は、左前枠と右前枠とからなり、左前枠を左妻垂木と左側に位置するパネルに固定し、右前枠を右妻垂木と右側に位置するパネルに固定してあることを特徴とする屋根。
【請求項２】
妻垂木受け材と、妻垂木と、パネルとを備え、妻垂木受け材は妻垂木の長手方向に所定間隔をおいて複数配置してあり、妻垂木は、左妻垂木と、右妻垂木と、左パネル押さえと、右パネル押さえと、連結材とから構成してあり、左妻垂木は左側に位置するパネルを載置するパネル載置部と、右妻垂木の左側面に対する当接自在部とを有し且つパネル載置前に妻垂木受け材に取り付けてあり、右妻垂木は右側に位置するパネルを載置するパネル載置部と、左妻垂木の右側面に対する当接自在部とを有し且つパネル載置前に妻垂木受け材に取り付けてあり、左パネル押さえは左妻垂木に取り付けて左側に位置するパネルを固定し、右パネル押さえは右妻垂木に取り付けて右側に位置するパネルを固定し、連結材は左右のパネル押さえの上面間に跨り左右の妻垂木に固定してあることを特徴とする屋根。
【請求項３】
左妻垂木と左パネル押さえの長さが略同一であり、右妻垂木と右パネル押さえの長さが略同一であり、連結材の長さを左妻垂木及び左パネル押さえの長さと右妻垂木及び右パネル押さえの長さの短い方の長さと略同一としてあることを特徴とする請求項２に記載の屋根。
【発明の詳細な説明】
【技術分野】
【０００１】
本発明は、カーポート等の組立建物に設ける屋根に関する。
【背景技術】
【０００２】
特許文献１には、パネルを垂木と妻垂木とに取り付けるとともに妻垂木の先端に前枠を固定した屋根が開示されている。
特許文献２には、垂木を左半体と右半体から構成し、左半体に左パネルを取り付け、右半体に右パネルを取り付けた後、左右の半体を連結する屋根が開示されている。
【０００３】
【特許文献１】特開２００１−２７９８２２号公報
【特許文献２】特開平１０−２６６３５０号公報
【発明の開示】
【発明が解決しようとする課題】
【０００４】
土地の形状が異形地である場合等に、屋根の張り出し部分を切り詰めて出幅違いの屋根にする場合があるが、特許文献１の屋根は、妻垂木及びパネルの先端を柱や梁に固定する構成であるから、妻垂木やパネルの先端側を切断して出幅違いにした場合に、妻垂木及びパネルの先端が柱や梁に固定できなくなるので、容易に出幅違いにすることができないという問題がある。
特許文献２の屋根では、妻垂木を取り付ける前に妻垂木受け材を妻垂木の長手方向に所定間隔をおいて複数配置するものではないので、容易に出幅違いにすることができないという問題がある。
【０００５】
そこで、本発明は、土地等の制約に対応して必要があれば容易に出幅違いにすることができる屋根の提供を目的とする。
【課題を解決するための手段】
【０００６】
請求項１に記載の発明は、妻垂木受け材と、妻垂木と、パネルと、前枠とを備え、妻垂木受け材は妻垂木の長手方向に所定間隔をおいて複数配置してあり、妻垂木は左妻垂木と右妻垂木から構成してあり、左妻垂木は左側に位置するパネルを載置するパネル載置部と、右妻垂木の左側面に対する当接自在部とを有し且つパネル載置前に妻垂木受け材に取り付けてあり、右妻垂木は右側に位置するパネルを載置するパネル載置部と、左妻垂木の右側面に対する当接自在部とを有し且つパネル載置前に妻垂木受け材に取り付けてあり、左妻垂木と右妻垂木と左側に位置するパネルと右側に位置するパネルとは、妻垂木受け材から突出する先端側を異なる長さに切断自在にしてあり、前枠は、左前枠と右前枠とからなり、左前枠を左妻垂木と左側に位置するパネルに固定し、右前枠を右妻垂木と右側に位置するパネルに固定してあることを特徴とする。
【０００７】
請求項２に記載の発明は、妻垂木受け材と、妻垂木と、パネルとを備え、妻垂木受け材は妻垂木の長手方向に所定間隔をおいて複数配置してあり、妻垂木は、左妻垂木と、右妻垂木と、左パネル押さえと、右パネル押さえと、連結材とから構成してあり、左妻垂木は左側に位置するパネルを載置するパネル載置部と、右妻垂木の左側面に対する当接自在部とを有し且つパネル載置前に妻垂木受け材に取り付けてあり、右妻垂木は右側に位置するパネルを載置するパネル載置部と、左妻垂木の右側面に対する当接自在部とを有し且つパネル載置前に妻垂木受け材に取り付けてあり、左パネル押さえは左妻垂木に取り付けて左側に位置するパネルを固定し、右パネル押さえは右妻垂木に取り付けて右側に位置するパネルを固定し、連結材は左右のパネル押さえの上面間に跨り左右の妻垂木に固定してあることを特徴とする。
【０００８】
請求項３に記載の発明は、請求項２に記載の発明において、左妻垂木と左パネル押さえの長さが略同一であり、右妻垂木と右パネル押さえの長さが略同一であり、連結材の長さを左妻垂木及び左パネル押さえの長さと右妻垂木及び右パネル押さえの長さの短い方の長さと略同一としてあることを特徴とする。
【発明の効果】
【０００９】
請求項１に記載の発明によれば、土地の形状等の制約により張り出し部を出幅違いにする必要がある場合には、隣合わせに配置してある左妻垂木または右妻垂木とパネルの先端側を切断し、例えば切断していない右妻垂木と切断した左妻垂木とは、長手方向に所定間隔をおいて複数配置した妻垂木受け材にそれぞれ固定できるので、容易に出幅違いにすることができる。
また、左妻垂木と右妻垂木とはそれぞれパネル載置前に妻垂木受け材に取り付けてあるので、左妻垂木と右妻垂木とに順次パネルを載置でき、屋根の上で施工作業する場合に足場が確保しやすく、施工しやすい。
請求項２に記載の発明によれば、土地の形状等の制約により張り出し部を出幅違いにする必要がある場合には、隣合わせに配置してある左妻垂木または右妻垂木とパネルの先端側を切断し、例えば切断していない右妻垂木と切断した左妻垂木とは、長手方向に所定間隔をおいて複数配置した妻垂木受け材にそれぞれ固定できるので、容易に出幅違いにすることができる。
隣り合う左右のパネルは別々のパネル押さえにより左妻垂木と右妻垂木とにそれぞれ固定するので、出幅違いに切り詰めて左右のパネル長さが異なる場合にも、異なる長さのパネル押さえを用いることができるので、容易に出幅違いにすることができる。
連結材は左右のパネル押さえの上面に跨って配置し、左妻垂木と右妻垂木とを固定するので、隣り合う左妻垂木と右妻垂木と左右のパネル押さえとを同時に固定できる。
左妻垂木と右妻垂木とはそれぞれパネル載置前に妻垂木受け材に取り付けてあるので、左妻垂木と右妻垂木とに順次パネルを載置でき、屋根の上で施工作業する場合に足場が確保しやすく、施工しやすい。また、連結材は左右のパネル押さえの上面間に跨り左妻垂木と右妻垂木に固定してあるので、左妻垂木と右妻垂木との間からの雨水の浸入を防止することができる。
請求項３に記載の発明によれば、請求項２に記載の発明と同様な作用効果を奏するとともに、左妻垂木と右妻垂木の長さが異なる場合にも、連結材で左妻垂木と右妻垂木とを連結することができ、しかも、連結材がはみ出さないので外観が良い。
【発明を実施するための最良の形態】
【００１０】
以下に、添付図面を参照して本発明の実施の形態を説明する。図１は図３に示すＡ―Ａ断面図であり、図２は図３に示すＢ―Ｂ断面図であり、図３は本実施の形態にかかる屋根の一部を示す平面図である。尚、図３において一点鎖線で抜き出して示すのは拡大図である。
本実施の形態にかかる屋根１はカーポートの屋根であり、柱３と梁５の上に架設されている。
屋根１は、妻垂木受け材７と、妻垂木８と、左右のパネル１３、１５と、前枠１７とを備えている。妻垂木８は、左妻垂木９と右妻垂木１１を有し、左パネル１３は左パネル押さえ１９により左妻垂木９に取り付けてあり、右パネル１５は右パネル押さえ２１により右妻垂木１１に取り付けてあり、左妻垂木９と右妻垂木１１は連結材２３により連結されている。
妻垂木受け材７は野縁であり、梁３に固定されている。妻垂木受け材７は、妻垂木８の長手方向に所定間隔をおいて複数配置されている。
左妻垂木９と右妻垂木１１と左右のパネル１３、１５は、妻垂木受け材７から突出する先端側を異なる長さに切断自在である。
前枠１７は、左前枠１７ａと右前枠１７ｂとからなり、左前枠１７ａは左妻垂木９と左パネル１３の先端に固定し、右前枠１７ｂは右妻垂木１１と右パネル１５の先端に固定してある。
左妻垂木９はパネル載置部２５ａと、当接自在部２７ａとを有し、パネル載置部２５ａには左側に位置する左パネル１３が載置してあり、当接自在部２７ａは右妻垂木１１の左側面１１ａに対して当接自在である。左妻垂木９は固定部３１ａでねじ２９により妻垂木受け材７に固定されている。
右妻垂木１１は左妻垂木９と略同じ形状であり、パネル載置部２５ｂと、当接自在部２７ｂと、固定部３１ｂとを有し、パネル載置部２５ｂには右側に位置する右パネル１５が載置してあり、当接自在部２７ｂは左妻垂木９の右側面９ａに対して当接自在である。右妻垂木１１の固定部３１ｂでねじ２９により妻垂木受け材７に固定されている。
尚、左妻垂木９と右妻垂木１１とは、それぞれ左右のパネル１３、１５の載置前に妻垂木受け材７に取り付けてある。
左妻垂木９と右妻垂木１１とは長さが異なっており、右妻垂木１１の先端側は切断により左妻垂木９よりも短く切り落とされている。同様に、右パネル１５は先端側を切断により左パネル１３より先端側の長さが短くなっている。即ち、本実施の形態では、土地の形状等の制約から屋根１の張り出し部が出幅違いになっている。
左妻垂木９と左パネル押さえ１９の長さは略同一であり、右妻垂木２１と右パネル押さえ２１の長さは略同一である。
左パネル押さえ１９は左妻垂木９に取り付けて左パネル１３を左妻垂木９に上から押さえて固定している。左パネル押さえ１９にはねじ挿通孔が設けてあり、連結材２３を止めるねじ３３ａで左妻垂木９のネジ止め部３５に固定されている。
右パネル押さえ２１は右妻垂木１１に取り付けて右パネル１５を右妻垂木１１に上から押さえて固定している。右パネル押さえ２１にはねじ挿通孔が設けてあり、連結材２３を止めるねじ３３ｂで右妻垂木１１のネジ止め部３７に固定されている。
連結材２３は左右のパネル押さえ１９、２１の上面間に跨って配置してあり、連結材２３と左右の妻垂木９、１１と間に左右のパネル押さえ１９、２１を挟むようにして、左右の妻垂木９、１１にそれぞれねじ３３ａ、３３ｂで固定している。
連結材２３の長さは、左妻垂木９及び左パネル押さえ１９の長さと、右妻垂木９及び右パネル押さえ２１の長さとのうちで、短い方の右妻垂木１１及び右パネル押さえ２１の長さと略同じにしている。
【００１１】
次に、本実施の形態にかかる屋根１の施工及び効果について説明する。
屋根１の施工は、左右の妻垂木９、１１の当接自在部２７ａ、２７ｂを互いに当接させて左右の妻垂木９、１１を隣合わせに配置して、それぞれ妻垂木受け材７に固定し、左妻垂木９のパネル載置部２５ａに左パネル１３を載置し、右妻垂木１１のパネル載置部２５ｂに右パネル１５を載置し、左妻垂木９に左パネル押さえ１９を取り付け、右妻垂木１１に右パネル押さえ２１を取り付けるとともに左右のパネル押さえ１９、２１の上面に跨って連結材２３を配置してねじ３３ａ、３３ｂで左右の妻垂木９、１１に固定する。
尚、土地の形状等の制約により屋根１の張り出し部を出幅違いにするため、右妻垂木１１と右パネル１５とは妻垂木受け材７から突出する先端側を切断し、切断した先端に右前枠１７ｂを取り付け、切断していない左妻垂木９と左パネル１３との先端には左前枠１７ａを取り付ける。
切断していない左妻垂木９と切断した右妻垂木１１とは、それぞれ長手方向に所定間隔をおいて配置した妻垂木受け材７にそれぞれ固定できるので、屋根１の張り出し部を容易に出幅違いにすることができる。
左妻垂木９と右妻垂木１１を互いに隣合わせに当接して配置した妻垂木８は、垂木４０と同じ収まりにしているので、垂木４０の長手方向の途中から先端側に妻垂木８を継ないで、出幅違いの部分にのみ妻垂木８を用いることもできる。
隣り合う左右のパネル１３、１５において、左パネル１３は左パネル押さえ１９により左妻垂木９に固定し、右パネル１５は右パネル押さえ２１により右妻垂木１１に固定するので、本実施の形態のように出幅違いにしたため右パネル１５の長さが左パネル１３よりも短い場合にも、容易に取り付けできる。
連結材２３は左パネル押さえ１９と右パネル押さえ２１の上面に跨って配置し、左妻垂木９と右妻垂木１１に固定するので、左妻垂木１９及び右妻垂木２１の連結と、左右のパネル押さえ１９、２１の固定とを一つの部材で且つ同時にできる。
また、連結材２３は左右のパネル押さえ１９、２１の上面間に跨り左妻垂木９と右妻垂木１１に固定してあるので、左妻垂木９と右妻垂木１１との間からの雨水の浸入を防止することができる。
連結材２３の長さを左妻垂木９と右妻垂木１１のうち短い長さの右妻垂木１１の寸法に合わせてあるので、左妻垂木９と右妻垂木１１の長さが異なる場合にも取り付けでき、しかも飛出しがないので外観がよい。
次に、他の実施の形態について説明するが、以下に説明する実施の形態では、上述した実施の形態と同一の作用効果を相する部分には同一の符号を付することにより、その部分の詳細な説明を省略し、以下の説明では上述した実施の形態と主に異なる点を説明する。
図４に示す他の実施の形態にかかる屋根１では、右妻垂木１１と右パネル１５とを垂木８に対して斜めに切断し、右前枠１７ｂは左前枠１７ａに対して斜めに取り付けたものである。この実施の形態においても上述した実施の形態と同様な効果を得ることができる。
【００１２】
本発明は、上述した実施の形態に限らず、本発明の要旨を逸脱しない範囲で種々変形可能である。
例えば、屋根１はカーポートの屋根に限らず、テラスや物置等の簡易家屋の屋根であってもよい。
妻垂木８及び左右のパネル１３、１５をそれぞれ短く切断する場合には、工場で切断しても良いし、施工現場で切断するものであってもよい。
左パネル１３と左妻垂木１１とを切断し、右パネルと右妻垂木１３を切断しないで屋根の張り出し部の出幅寸法が異なるものにしてもよい。
妻垂木受け材７は、野縁のような長尺材に限らず、短尺材（ピース材）としても良い。
【図面の簡単な説明】
【００１３】
【図１】図３に示すＡ―Ａ断面図である。
【図２】図３に示すＢ―Ｂ断面図である。
【図３】本実施の形態にかかる屋根の一部を示す平面図である。
【図４】他の実施の形態にかかる屋根の一部を示す平面図である。
【符号の説明】
【００１４】
１      屋根
７      妻垂木受け材
８      妻垂木
９      左妻垂木
９ａ    右側面
１１    右妻垂木
１１ａ  左側面
１３    左パネル
１５    右パネル
１７    前枠
１７ａ  左前枠
１７ｂ  右前枠
１９    左パネル押さえ
２１    右パネル押さえ
２３    連結材
２５ａ、２５ｂ  パネル載置部
２７ａ、２７ｂ  当接自在部
【図１】
2005155085.tif 000003
【図２】
2005155085.tif 000004
【図３】
2005155085.tif 000005
【図４】
2005155085.tif 000006